(57)【特許請求の範囲】
【請求項１】
カメラと、カメラの二次電池を充電するための、カメラと別体の充電装置とから成るカメラシステムであって、
上記充電装置は、
上記カメラと通信を行うための通信部と、
時計部と、
上記時計部による計時結果を表示するために外装部に設けられた表示部と、
上記表示部を照明する表示照明と、
上記カメラの二次電池の充電を、磁気エネルギーを利用した非接触充電によって行う充電部と、
上記充電部による上記カメラの二次電池の充電状態を、磁気信号によって判定する充電状態判定部と、
上記充電状態判定部の判定結果に従って、当該充電装置の動作シーケンスを切り換える、または、上記通信部を介して上記カメラの動作シーケンスを切り換える、制御手段と、
を備え、
上記カメラの動作シーケンスの制御は、上記充電中は当該カメラの露出制御用の測光センサによる測光データに基づく信号を上記通信部を介して上記制御手段に対して出力させ、
上記充電装置の動作シーケンスの制御は、上記充電中は上記測光データに基づく信号から上記表示照明の点灯を制御するものである、
ことを特徴とするカメラシステム。
【発明の詳細な説明】
【０００１】
【発明の属する技術分野】
本発明は、カメラと、カメラの二次電池を充電するための充電装置で成るカメラシステムに関する。
【０００３】
【従来の技術】
通常、カメラ内には、撮影時に使用するための高価な測光、測距用のセンサやレンズ等の温湿度特性を補償するためのセンサが内蔵されており、これら各種センサの出力にしたがって、最適な撮影が行えるように構成されている。
【０００４】
また、これら各種センサ出力に基づいた自動露出制御等の各種制御や、ストロボ発光のために、古くから電池を搭載していたが、近年のマイクロコンピュータ制御による全自動化にともない、ますます電気回路に対する依存が強くなっている。
【０００５】
この電池交換を常に意識しなければならないのはわずらわしく、電池の廃棄による環境に対する影響を考慮して、充電器を使うようにしたカメラが、例えば、特開平７−１４６１５号公報に提案されている。
【０００６】
【発明が解決しようとする課題】
しかし、携帯用の機器の発達につれて、電池に依存した製品は増加の一途をたどっており、携帯電話や携帯用オーディオ等、通勤通学時に使用する類のものから、子供用のゲーム機器に到るまで、家庭内には充電器があふれている。そのような状況下において、カメラにも充電器が必要となると、家中が充電器であふれかえってしまい、普段の生活空間がおびやかされる事となる。
【０００７】
また、カメラの充電器を押し入れ等にしまいこんでしまうと、ものがあふれかえる現代社会では、どこに置いたかわからなくなるような状況が生じやすい。
【０００８】
本発明は、上記した事情に鑑みなされたもので、カメラ充電中においても、また、充電時以外でも、充電装置がじゃまにならないようにし、生活空間を快適に確保しながら、カメラを常に充電状態にしておき、シャッタチャンスをのがすことのないカメラシステムを提供することを目的とする。
【０００９】
【課題を解決するための手段】
上記の目的を達成するために、本発明によるカメラシステムは、カメラと、カメラの二次電池を充電するための、カメラと別体の充電装置とから成るカメラシステムであって、
上記充電装置は、
上記カメラと通信を行うための通信部と、
時計部と、
上記時計部による計時結果を表示するために外装部に設けられた表示部と、
上記表示部を照明する表示照明と、
上記カメラの二次電池の充電を、磁気エネルギーを利用した非接触充電によって行う充電部と、
上記充電部による上記カメラの二次電池の充電状態を、磁気信号によって判定する充電状態判定部と、
上記充電状態判定部の判定結果に従って、当該充電装置の動作シーケンスを切り換える、または、上記通信部を介して上記カメラの動作シーケンスを切り換える、制御手段と、
を備え、
上記カメラの動作シーケンスの制御は、上記充電中は当該カメラの露出制御用の測光センサによる測光データに基づく信号を上記通信部を介して上記制御手段に対して出力させ、
上記充電装置の動作シーケンスの制御は、上記充電中は上記測光データに基づく信号から上記表示照明の点灯を制御するものである、
ことを特徴とする。
【００１０】
即ち、本発明のカメラシステムによれば、充電装置は、時計としても使用可能なため、カメラ充電中においても、また、充電時以外でも、充電装置がじゃまにならないようにし、生活空間を快適に確保しながら、カメラを常に充電状態にしておき、シャッタチャンスをのがすことのないカメラシステムを提供できる。
【００１４】
また、本発明のカメラシステムによれば、制御手段は、カメラが充電状態であるか否かに応じて、カメラの動作シーケンス、または充電装置の外装部に設けられた時計表示動作の制御シーケンス等の充電装置の動作シーケンスを切り換えるようにし、具体的には、撮影時の露出を制御するカメラの測光センサによる測光データを、充電状態においては、表示照明用の点灯制御に利用するようにするので、暗いところでもよく見える時計を提供することができる。
【００１５】
【発明の実施の形態】
以下、本発明の実施の形態を、図面を参照して説明する。
【００１６】
［第１の実施の形態］
図２は、本発明の第１の実施の形態に係るカメラシステムの使用状況を示す図である。
【００１７】
即ち、カメラ１は、家庭用交流電源のコンセント３に接続された充電器２に挿し込まれ、この状態で、カメラ内の二次電池が充電され、ユーザ５が使いたい時にはエネルギーが十分蓄えられているようになっている。
【００１８】
そのために、充電器２は、時計表示部４を有し、目覚まし時計にもなるような構成となっている。つまり、カメラ１とは異なる第２の機能を有することにより、カメラ充電時以外にも、その第２の機能によって、充電器２を意識させないものとして、室内のレイアウトや雰囲気に無理なくとけこませることができる。
【００１９】
ユーザ５の部屋にはその他にも、電話の子機や携帯用ＣＤプレーヤ、電動歯ブラシなどの充電器又はＡＣアダプタがあり、ノートパソコン等も充電器又はＡＣアダプタを要し、これ以上電気製品のはん雑さを増加させると、生活空間から豊かさが失われてしまう。上記製品とは異なり、カメラは使用頻度が低く、そのくせ、シャッタチャンスをのがすわけにはいかない、常時電池が充電されている事が好ましいという特殊な性格を有するので、上述のような構成によって、本発明の目的を達成することが可能となる。
【００２０】
ここで、二次電池を充電するための充電器の技術は、許容される充電時間や使用される電池によっても異なるが、充電器と機器を金属の接触ピンで電気的に接続する接触式充電器とトランスを用いて、電磁気を利用する非接触式の充電器の２種がある。例えば、図２中のパソコンや電話の充電器は接触式でよく、電動歯ブラシなどは防水用の密閉性を考慮すると非接触式である事が好ましい。
【００２１】
本実施の形態においては、カメラ１が屋外で使用される頻度が高く、その際に雨や雪による水滴が付着する事を考慮し、非接触的充電式の装置を想定して説明をすすめる。
【００２２】
図１は、本実施の形態に係るカメラシステムの電気回路構成を示すブロック図である。
【００２３】
家庭のコンセント３から取られる交流電源は、充電器２に内蔵の入力整平滑回路２１によって直流電圧化が行なわれる。直流電圧では、トランス１２ａ，１２ｂの間で結合が行われず、その効率を上げるために商用周波数以上に高い高周波発振にて、トランス間の電磁結合を行なう。この高周波発振を行う回路が共振回路２２である。１次トランス１２ａまでは充電器２側に収められているが、２次トランス１２ｂはカメラ１側に収納され、上記１次トランス１２ａと対向されていて、両トランス間に磁気エネルギーの伝達が行われると、出力整流回路１３にて、二次電池２０１に充電が行われる。
【００２４】
この二次電池２０１には、ニッカド電池、ニッケル水素電池などを利用できるが、前者は大電流に対応可、後者は大容量という特性がある。充電方式にも、低率充電等の工夫が考えられるが、発明の本質とははずれる領域なので、その説明を消略する。
【００２５】
ただ、非接触充電器は磁気エネルギーの放出によって、金属物などが置かれると加熱されて危険であるので、本実施の形態においては、間欠発振回路２４を具備し、カメラ１がない時にはこれを間欠的に動作させるようにしている。カメラ１が充電器に接触すると、トランス２５ａ，２５ｂが磁気エネルギーを結合して、カメラ１の補助電源回路２８を駆動し、カメラ１の制御回路（ＣＰＵ）１０に電源を印加する。ＣＰＵ１０は、発振回路２９によって、トランス２７ｂに磁気信号を生じさせる。この磁気信号は、充電器側のトランス２７ａによって検出されるので、信号検出回路２６ａがその信号を整形して制御回路（ＣＰＵ）２０に入力する。これにより、充電器側のＣＰＵ２０は、カメラ１が充電可能状態であることを判別することができる。
【００２６】
この充電器２を制御するＣＰＵ２０は、時計機能ブロック２０ａを有しており、図２に示すように、表示部４に時刻を表示できるようになっている。また、目覚まし時計として用いるために、アラームの時刻設定を行ったり、時刻合わせをするためのスイッチ２０ｂがユーザによって操作可能なように外装部に設けられている。
【００２７】
また、磁気信号だけでは十分な精度で通信できないような信号は、フォトカプラを形成するＬＥＤ１７ａとフォトダイオード（ＰＤ）１７ｂによってカメラ１から充電器２側へ通信される。ドライバ１６は、このＬＥＤ１７ａに電流を流し、これを駆動する回路であり、センサ２６ｂは、このＰＤ１７ｂの信号を整形する回路である。
【００２８】
また、充電器２からカメラ１へ通信される信号は、ＬＥＤ１８ａ，ＰＤ１８ｂによって通信される。これによって、充電器２の有する時計機能ブロック２０ａで形成された情報を、カメラ側に伝えることができる。カメラ１は、撮影された年月日や時刻をプリント上に表示できるように、フィルムの撮影コマ上に、デート情報を磁気的に又は光学的に記録するためのデート機能ブロック３１を有しており、ＣＰＵ１０によってこのデート機能ブロック３１が制御されて、撮影時のデート情報をフィルム（図示せず）に記録する。フィルム画面内に光学的に写し込まれたものは、現像プリント時に写真プリント上に画面上に文字が浮かび出る形となり、磁気写し込みのタイプはフィルムに設けられた磁気記録層に磁気記録された情報をプリント時に読み取り、プリント機がそれを文字に変換し、写真の上に印字する形をとる。
【００２９】
このカメラ内蔵デート機能は、カメラ１の電源となる電池の電圧が低下すると、ＣＰＵ１０内のメモリが正常に動作しなくなって、不正確となるので、電池が新しくなるたびに時刻や年月日を正しく合わせ直す必要がある。本実施の形態では、その面倒さを解消するために、充電器２側の時計機能として、標準時刻を電波で送信する郵政省のサービスと結びつける電波時計を採用している。
【００３０】
即ち、電波時計は、内蔵のアンテナ（図中、受信部３０）が一日に一度、例えば午前１時に、自動的に標準電波を受信し、その結果によって時計表示を校正するので、非常に高精度の時計機能となる。この正確な時計データを、先の光結合（フォトカプラ）による信号通信によってカメラ１側に伝達するので、充電時にはカメラ側も常に正確な時刻を認識できる。
【００３１】
このような動作は、充電器２のＣＰＵ２０の制御のもと、図３の（Ａ）のフローチャートに示すようにして行われる。
【００３２】
即ち、まず、標準電波を受信する所定時刻であるか否かを判別し（ステップＳ１１）、そうであれば、標準電波を受信して時刻を校正する（ステップＳ１２）。
【００３３】
その後、あるいは上記ステップＳ１１において標準電波受信時刻でないと判別された場合、カメラ１がセットされているかどうかを判別する（ステップＳ１３）。ここで、カメラがセットされていなければ、上記ステップＳ１１に戻る。
【００３４】
これに対して、カメラ１がセットされていた場合には、充電を開始する（ステップＳ１４）。その後、充電が完了するのを待って（ステップＳ１５）、充電を終了する（ステップＳ１６）。
【００３５】
そして、時計情報をカメラ１側に送信し（ステップＳ１７）、カメラ側から受信応答があったならば（ステップＳ１８）、上記ステップＳ１１に戻る。
【００３６】
このようにして、電池がなくなったカメラ１も、充電中に正しいデートを自動的に再セットされ、撮影時には常に正しいデート写し込みが可能となる。
【００３７】
以上説明したように、本の実施の形態によれば、二次電池２０１を用いたカメラ１の充電器２において、充電器２に電波時計というそれだけで利用可能な機能を持たせたので、目覚まし時計がわりにでも利用すれば、置き場所がじゃまになる事もなく、カメラ側にとっては自動的に正しいデートがセットされる、というすぐれた商品性を付加することができる。
【００３８】
［第２の実施の形態］
次に、本発明の第２の実施の形態を説明する。本実施の形態は、カメラシステムに目覚まし時計としての機能を持たせた際に、カメラ１の機能を利用する例である。
【００３９】
図３の（Ｂ）はその構成を示す図であり、カメラ１がセットされる時計内蔵の充電器２には、目覚ましアラーム停止用のボタン２ａが設けられており、ユーザ５が目をさましてこのボタン２ａを押下することによりアラームが停止するようになっている。ここでは、アラームとして、通常の目覚まし時計の音によるものに加え、カメラ１の機能を有効に利用して、ストロボ１４ａの発光を併用して、より目覚まし効果を高めている。
【００４０】
この時のカメラ１と充電器２の構成は、図４の（Ａ）に示すようになっている。なお、この図は、この目覚まし時計機能を実現するための特徴部を抜き出して示すものであり、カメラ１及び充電器２は、当然、図１に示したような構成を備えている。
【００４１】
即ち、充電器２のＣＰＵ２０は、時計機能ブロック２０ａに加えて、アラームを発生するべきユーザによってセットされる時刻を記憶するセット時刻記憶部４３と、このセット時刻記憶部４３に記憶された時刻と上記時計機能ブロック２０ａで計時されている現在時刻とを比較する比較器４４とを備えている。そして、比較器４４が両時刻の一致を検出したとき、目覚まし信号をカメラ１側のＣＰＵ１０に与えるようになっている。また、充電中は、この充電器２側のＣＰＵ２０からは、カメラ１側のＣＰＵ１０に充電中を示す充電中信号が供給される。
【００４２】
また、カメラ１側のＣＰＵ１０は、ストロボ発光パターン１記憶部４０とストロボ発光パターン２記憶部４１と、選択回路４２とを備えており、ストロボ１４ａを発光させるとき、選択的にストロボ発光パターン１又は２をストロボ制御回路１４に与えることで、そのパターンでストロボ１４ａを発光させることができるようになっている。ここで、ストロボ発光パターンは、図４の（Ｂ）に示すようになっている。即ち、ストロボ発光パターン１は、被写体としての人物の瞳孔を撮影時に縮少させて、いわゆる赤目現象を防止するために、上記撮影に先立って、微小な発光をくり返すという発光パターンである。ストロボ発光パターン２は、その技術を応用して、露出時の発光ほどは大きくない光量で何度も発光をくり返して、目ざまし効果を高める発光パターンである。
【００４３】
このような発光パターンの選択は、充電中信号の有無に応じて、選択回路４２にて行われる。
【００４４】
図５の（Ａ）及び（Ｂ）は、このような動作を行うための充電器２側のＣＰＵ２０及びカメラ１側のＣＰＵ１０のフローチャートを示している。
【００４５】
即ち、充電器２側においては、常に時計機能は働いていて（ステップＳ２１）、カメラ１が該充電器にセットされれば（ステップＳ２２）、充電中信号をカメラ１側に出力する（ステップＳ２３）。そして、この充電モードでは、目覚まし時刻になると（ステップＳ２４）、アラームを鳴らすと共に（ステップＳ２５）、カメラ１側に目覚まし信号を送信する（ステップＳ２６）。ここで、ユーザ５がボタン２ａを押すと（ステップＳ２７）、アラームは停止する（ステップＳ２８）。
【００４６】
また、カメラ側においては、充電器２との通信によって、充電器２が、図１の共振回路２２を駆動する充電モードであるか否かを判定する（ステップＳ３１）。この充電モードにない時には、通常のカメラモードなので、レリーズＳＷ１０２に連動して（ステップＳ３２）、図４の（Ｂ）の撮影時のパターン（ストロボ発光パターン１）でストロボ発光制御を行なって（ステップＳ３３）、フィルムへの露出を行う（ステップＳ３４）。
【００４７】
これに対して、充電モードであると判定された場合には（ステップＳ３１）、目覚まし信号が充電器２側から送られてきたかどうかを判別し（ステップＳ３５）、目覚まし信号を受信したならば、図４の（Ｂ）の目覚まし時の発光パターン（ストロボ発光パターン２）でストロボ発光制御を行う（ステップＳ３６）。
【００４８】
このようにして、カメラシステムを目覚まし時計として使用できるようになる。
【００４９】
なお、充電時はレリーズＳＷ１０２をモニタしないので、充電中にレリーズＳＷ１０２を誤って押したとしても、撮影が行なわれてしまってフィルムを無駄にするようなことはない。つまり、充電状態であるか否かによって、カメラのシーケンス制御が自動的に切り換えられるので、誤動作に強く、なおかつ、機能（ここではストロボや測光センサ）を使いわけることによって有効活用することができる。
【００５０】
［第３の実施の形態］
次に、本発明の第３の実施の形態を説明する。本実施の形態は、充電器側のシーケンスを切り換える別の例である。
【００５１】
即ち、図５の（Ｃ）に示すように、カメラ１が充電器２にセットされる前の状態では、充電器前面に取り付けられた表示部４は、時計表示又は目覚まし設定時刻の表示を行っている。しかし、充電器２にカメラ１がセッティングされると充電モードになるので、図５の（Ｄ）に示すように、充電器２は時計以外に、充電完了までの時間を表示することができるようになっている。
【００５２】
このようにも充電がどれぐらい進んだかを表示することによって、ユーザは、カメラがいつから使えるかを判断できる。
【００５３】
なお、このように、充電完了までの時間を表示する時には、時計とは別の表示であることをわかりやすく示すために、図５の（Ｄ）に撓疑的に示したように、表示を点滅させれば、ユーザが間違えることがない。このような工夫をしないと、ユーザは充電終了までに要する時間を現在の時刻と間違えて、例えばあわてて出かけてしまい、待ち合わせがうまくいかなくなってしまったりして、ユーザに迷惑をかけてしまう恐れがある。
【００５４】
また、充電器２に付けられた目覚ましアラーム終了用のボタン２ａの操作によって、表示形態を変えても良い。つまり、ボタン２ａを押した状態では、充電に必要な時間か、又は、目ざまし設定時間かを、充電状態にあるか否かによって切り換えるようにすれば良い。
【００５５】
この場合は、充電器側のＣＰＵ２０は、図６の（Ａ）に示すように動作する。即ち、ボタン２ａが押されたとき（ステップＳ４１）、現在のモードが充電中でなければ（ステップＳ４２）、目覚まし設定時刻を表示部４に点滅表示する（ステップＳ４３）。また、充電中であれば、充電に必要な時間を表示部４に点滅表示する（ステップＳ４４）。
【００５６】
［第４の実施の形態］
次に、本発明の第４の実施の形態を説明する。本実施の形態は、カメラ１の持つセンサ機能を応用した例であり、自動的に明るさを測定して、暗い時には、図６の（Ｂ）に示すように、表示部４にバックライトを点灯することで暗闇でも表示が見えるようにするものである。
【００５７】
これは、図４の（Ｃ）に示すように、カメラ１の露出装置１５の制御用の測光センサ５０の出力をＡ／Ｄ変換器５１でディジタル信号に変換し、ＣＰＵ１０から充電器２のＣＰＵ２０にそれを供給してバックライト（Ｂ．Ｌ）５２のオン／オフを制御することで実現される。
【００５８】
即ち、カメラ１に内蔵された測光センサ５０の出力は、Ａ／Ｄ変換器５１にてディジタル値に変換されて、カメラ１のＣＰＵ１０に測光データとして入力する。そして、ＣＰＵ１０は、カメラとして用いる時は、この測光データを、シャッタやストロボ等、露出装置１５を制御するのに利用する。これに対して、充電中は、その測光データの値に応じて、充電器２のＣＰＵ２０に、バックライト点灯信号を入力するようにし、充電器側のＣＰＵ２０がそれに応じて、バックライト５２の点灯制御を実行すれば、上記効果を持つ表示照明機能付の時計を提供できる。
【００５９】
図６の（Ｃ）は、このような動作を行うためのカメラ側のＣＰＵ１０の動作フローチャートである。即ち、充電中でなければ（ステップＳ５１）、通常のカメラモードで周知の撮影シーケンスを実行するが（ステップＳ５２）、充電中においては、所定時間毎に、測光センサ５０にて測光を行う（ステップＳ５３）。そして、この測光センサ５０のＡ／Ｄ出力値が所定の輝度以下つまり暗いときには（ステップＳ５４）、充電器２のＣＰＵ２０にバックライト点灯信号を通信して（ステップＳ５５）、表示部４の裏からランプやＬＥＤ等のバックライト５２を点灯させることで、暗い所でもよく見える時計を提供することができる。
【００６０】
［第５の実施の形態］
次に、本発明の第５の実施の形態を説明する。本実施の形態は、カメラ側に設けられた多くのスイッチ類を有効に活用して、時計機能の一助とする例である。
【００６１】
図６の（Ｄ）は、カメラ１の背面に設けられたスイッチ（図示せず）によって、表示部４に表示される時計の表示形態を切り換えている様子を示している。
【００６２】
例えば、ユーザ５は、充電器２にカメラ１をセットする前に、カメラ１の背面に設けられたボタンを利用して、目覚ましの時刻設定を行うことができる。
【００６３】
また、図６の（Ｅ）及び（Ｆ）に示すように、日付けを日本風の並びにしたり欧米風の並びにしたりする設定も、カメラ１のスイッチで行い、これらの設定後のカメラ１を充電器２にセットすると、充電器２の表示部４の表示形態が、このカメラ１による設定に応じて切り換えられる。
【００６４】
つまり、充電器側には、設定用ボタン、スイッチ類は不要になる。これによって、コストダウンや、スペースメリットの効果を出すことができる。
【００６５】
［第６の実施の形態］
次に、本発明の第６の実施の形態を説明する。本実施の形態は、カメラ側に設けられた多くのスイッチ類を有効に活用して、時計機能の一助とする別の例であり、図３の（Ｂ）に示したようなアラーム解除用のボタン２ａを無くすことを可能にした構成である。
【００６６】
即ち、図６の（Ｇ）に示すように、カメラ１のレリーズボタン６０を、アラーム解除用のスイッチと兼用するものである。このようにすれば、このスイッチが、カメラモード（非充電時）ではレリーズスイッチ、時計モード（充電時）ではアラーム解除、又は表示切り換えスイッチとして使いわけられるので、スイッチの数を減らし、コストダウン、スペースメリットの効果が出せる。
【００６７】
以上実施の形態に基づいて説明したように、本発明によれば、カメラのスイッチを、充電器（時計）のスイッチと共用したので、廉価で構成の単純な、目ざまし時計機能付充電器を用いた二次電池対応カメラが提供できる。
【００６８】
なお、以上実施の形態に基づいて本発明を説明したが、本発明は上述した実施の形態に限定されるものではなく、本発明の要旨の範囲内で種々の変形や応用が可能である。ここで、本発明の要旨をまとめると以下のようになる。
【００６９】
（１）  二次電池を電源とするカメラと、このカメラ専用の充電装置とからなるカメラシステムであって、
上記カメラを上記充電装置にセットした際に、電気接点を介することなく充電動作が行われることを特徴とするカメラシステム。
【００７０】
（２）  上記カメラを上記充電装置にセットした際に、カメラと充電装置との間で相互通信が行われるようになっていることを特徴とする（１）に記載のカメラシステム。
【００７１】
【発明の効果】
以上説明したように本発明によれば、カメラ充電中においても、また、充電時以外でも、充電器がじゃまにならないようにし、生活空間を快適に確保しながら、カメラを常に充電状態にしておき、シャッタチャンスをのがすことのないカメラシステムを提供することができる。
【００７２】
即ち、使いたい時には、常に充電が行われている二次電池内蔵のカメラが提供でき、電池交換のわずらわしさから解放されると共にシャッタチャンスをのがすことなく、機動性の高い商品にすることが可能となる。
【００７３】
また、一次電池使用カメラのように電池を捨てる事が少なくなって、環境にやさしい製品提供が可能となる。
【図面の簡単な説明】
【図１】本発明の第１の実施の形態に係るカメラシステムの電気回路構成を示すブロック図である。
【図２】第１の実施の形態に係るカメラシステムの使用状況を示す図である。
【図３】（Ａ）は第１の実施の形態に係るカメラシステムにおける充電器側の動作を説明するためのフローチャートであり、（Ｂ）は本発明の第２の実施の形態に係るカメラシステムの使用状況を示す図である。
【図４】（Ａ）は第２の実施の形態に係るカメラシステムの特徴部分の構成を示す図、（Ｂ）はストロボ発光パターンを説明するためのタイミングチャートであり、（Ｃ）は本発明の第４の実施の形態に係るカメラシステムの特徴部分の構成を示す図である。
【図５】（Ａ）及び（Ｂ）はそれぞれ第２の実施の形態の動作を説明するための充電器側ＣＰＵ及びカメラ側ＣＰＵの動作フローチャートであり、（Ｃ）及び（Ｄ）はそれぞれ本発明の第３の実施の形態に係るカメラシステムにおいてカメラが充電器にセットされる前及びセッティングされた状態を示す図である。
【図６】（Ａ）は第３の実施の形態の動作を説明するための充電器側ＣＰＵの動作フローチャート、（Ｂ）は本発明の第４の実施の形態に係るカメラシステムの使用状況を示す図、（Ｃ）は第４の実施の形態の動作を説明するためのカメラ側ＣＰＵの動作フローチャート、（Ｄ）は本発明の第５の実施の形態に係るカメラシステムの使用状況を示す図、（Ｅ）及び（Ｆ）はそれぞれ第５の実施の形態を説明するための表示例を示す図であり、（Ｇ）は本発明の第６の実施の形態に係るカメラシステムの使用状況を示す図である。
【符号の説明】
１      カメラ
２      充電器
２ａ    ボタン
３      コンセント
４      表示部
５      ユーザ
１０      制御回路（ＣＰＵ）
１２ａ    １次トランス
１２ｂ    ２次トランス
１４      ストロボ制御回路
１４ａ    ストロボ
１５      露出装置
２０      制御回路（ＣＰＵ）
２０ａ    時計機能ブロック
２０ｂ    スイッチ
３０      受信部
４０      ストロボ発光パターン１記憶部
４１      ストロボ発光パターン２記憶部
４２      選択回路
４３      セット時刻記憶部
４４      比較器
５０      測光センサ
５２      バックライト（Ｂ．Ｌ）
６０      レリーズボタン
１０２      レリーズＳＷ
２０１      二次電池
【図１】
0004358372.tif 000002
【図２】
0004358372.tif 000003
【図３】
0004358372.tif 000004
【図４】
0004358372.tif 000005
【図５】
0004358372.tif 000006
【図６】
0004358372.tif 000007